(57)【要約】  本発明はアップリンクデータの伝送方法及び装置を開示し、短スロット伝送場合のＲＴＴ時間を短縮し、ユーザ・プレーン遅延を低減し、システム性能を向上することができる。本発明に係る実施例が提供するアップリンクデータの伝送方法は、ネットワーク側は、データ伝送に用いられるスロットサイズを決定し、前記スロットサイズに基づきアップリンク・スケジューリング・シグナリングをＵＥに送信するステップと、前記ネットワーク側は、定義済みスケジューリングタイミングに基づき前記ＵＥからアップリンクデータを受信するステップとを備え、前記スロットは長さが１ミリ秒より短い時間単位であり、前記定義済みスケジューリングタイミングは、前記ネットワーク側にスロットｎで前記アップリンク・スケジューリング・シグナリングを送信する場合、前記ネットワーク側は、スロットｎ+lで前記ＵＥからアップリンクデータを受信し、l∈Ｌであり、ｎ及びlはともに零より大きいか等しい整数であり、Ｌはlの値集合を示す。
2018525914.tif 000002
【特許請求の範囲】
【請求項１】
ネットワーク側は、データ伝送に用いられるスロットサイズを決定し、前記スロットサイズに基づきアップリンク・スケジューリング・シグナリングをＵＥに送信するステップと、
前記ネットワーク側は、定義済みスケジューリングタイミングに基づき前記ＵＥからアップリンクデータを受信するステップとを備え、
前記スロットは長さが１ミリ秒より短い時間単位であり、前記定義済みスケジューリングタイミングは、前記ネットワーク側がスロットｎで前記アップリンク・スケジューリング・シグナリングを送信する場合、前記ネットワーク側は、スロットｎ+lで前記ＵＥからアップリンクデータを受信し、l∈Ｌ、ｎは零より大きいか等しい整数であり、Lは１より大きいか等しい整数であり、Ｌはlの値集合を示すことを特徴とするアップリンクデータの伝送方法。
【請求項２】
前記スロットの長さは、７つの直交周波数分割多重方式（ＯＦＤＭ）シンボルであり、１つの無線フレームには２０個のスロットが含まれ、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}であることを特徴とする請求項１に記載のアップリンクデータの伝送方法。
【請求項３】
前記スロットの長さは３つのＯＦＤＭシンボルであり、
ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}であり、
または、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}であり、
または、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}であり、
または、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}であることを特徴とする請求項１に記載のアップリンクデータの伝送方法。
【請求項４】
前記ネットワーク側が定義済みスケジューリングタイミングに基づき前記ＵＥからアップリンクデータを受信した後、前記方法は、
前記ネットワーク側は、定義済みアップリンクデータフィードバック・タイミングに基づき、前記アップリンクデータのフィードバック情報を前記ＵＥに送信するステップをさらに備え、
前記定義済みフィードバック・タイミングは、前記ネットワーク側がスロットｍ-kにおいて前記ＵＥからアップリンクデータを受信する場合、k∈Ｋ、前記ネットワーク側がスロットｍにおいて前記アップリンクデータのフィードバック情報を前記ＵＥに送信する場合、ｋ∈Ｋであり、ｍ及びｋはともに零より大きいか等しい整数であり、Ｋは前記kの値集合を示すことを特徴とする請求項１に記載のアップリンクデータの伝送方法。
【請求項５】
前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}であることを特徴とする請求項４に記載のアップリンクデータの伝送方法。
【請求項６】
前記スロットの長さは３つのＯＦＤＭシンボルであり、
ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}であり、
または、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}であり、
または、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}であり、
または、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}であることを特徴とする請求項４に記載のアップリンクデータの伝送方法。
【請求項７】
ＵＥは、ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定するステップと
前記ＵＥは、前記アップリンクデータの送信スロットにおいて、アップリンクデータを送信するステップとを備え、
前記スロットは長さが１ミリ秒より短い時間単位であり、前記定義済みスケジューリングタイミングは、前記ネットワーク側にスロットｎで前記アップリンク・スケジューリング・シグナリングを送信する場合、前記ＵＥがスロットｎ+ lでアップリンクデータを前記ネットワーク側に送信し、l∈Ｌ、ｎは零より大きいか等しい整数であり、Lは１より大きいか等しい整数であり、Ｌはlの値集合を示すことを特徴とするアップリンクデータの伝送方法。
【請求項８】
前記スロットの長さは、７つの直交周波数分割多重方式（ＯＦＤＭ）シンボルであり、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
または、ダウンリンクスロットｎ=０または１０の場合、Ｌ={４}であり、ダウンリンクスロットｎ=１、または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}であることを特徴とする請求項７に記載のアップリンクデータの伝送方法。
【請求項９】
前記スロットの長さは３つのＯＦＤＭシンボルであり、
ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}であり、
または、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}であり、
または、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}であり、
または、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}であることを特徴とする請求項７に記載のアップリンクデータの伝送方法。
【請求項１０】
前記ＵＥが前記アップリンクデータの送信スロットでアップリンクデータを送信した後、前記方法は、
前記ＵＥは、定義済みアップリンクデータフィードバック・タイミングに基づき、前記ネットワーク側が送信した前記アップリンクデータのフィードバック情報を受信するステップをさらに備え、
前記定義済みフィードバック・タイミングは、前記ネットワーク側がスロットｍ-kにおいて前記ＵＥからアップリンクデータを受信する場合、k∈Ｋであり、前記ネットワーク側がスロットｍにおいて前記アップリンクデータのフィードバック情報を前記ＵＥに送信する場合、k∈Ｋであり、ｍ及びｋはともに零より大きいか等しい整数であり、Ｋは前記Kの値集合を示すことを特徴とする請求項７に記載のアップリンクデータの伝送方法。
【請求項１１】
前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}であることを特徴とする請求項１０に記載のアップリンクデータの伝送方法。
【請求項１２】
前記スロットの長さは３つのＯＦＤＭシンボルであり、
ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}であり、
または、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}であり、
または、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}であり、
または、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}であることを特徴とする請求項１０に記載のアップリンクデータの伝送方法。
【請求項１３】
データ伝送に用いるスロットサイズを決定し、前記スロットサイズに基づきアップリンク・スケジューリング・シグナリングをＵＥに送信する決定ユニットと、
定義済みスケジューリングタイミングに基づき、前記ＵＥからアップリンクデータを受信する受信ユニットとを備え、
前記スロットは長さが１ミリ秒より短い時間単位であり、前記定義済みスケジューリングタイミングは、前記決定ユニットがスロットｎで前記アップリンク・スケジューリング・シグナリングを送信する場合、前記受信ユニットがスロットｎ+Ｌで前記ＵＥからアップリンクデータを受信し、Ｌ∈Ｌ、ｎは零より大きいか等しい整数であり、Lは１より大きいか等しい整数であり、ＬはＬの値集合を示すことを特徴とするアップリンクデータの伝送装置。
【請求項１４】
前記スロットの長さは、７つの直交周波数分割多重方式（ＯＦＤＭ）シンボルであり、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}であることを特徴とする請求項１３に記載のアップリンクデータの伝送装置。
【請求項１５】
前記スロットの長さは３つのＯＦＤＭシンボルであり、
ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}であり、
または、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}であり、
または、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}であり、
または、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}であることを特徴とする請求項１３に記載のアップリンクデータの伝送装置。
【請求項１６】
前記決定ユニットは、前記受信ユニットが定義済みスケジューリングタイミングに基づき、前記ＵＥからアップリンクデータを受信した後、定義済みアップリンクデータフィードバック・タイミングに基づき、前記アップリンクデータのフィードバック情報を前記ＵＥに送信し、
前記定義済みフィードバック・タイミングは、前記受信ユニットがスロットｍ-kで前記ＵＥからアップリンクデータを受信する場合、k∈Ｋ、前記決定ユニットがスロットｍで前記アップリンクデータのフィードバック情報を前記ＵＥに送信する場合、k∈Ｋ、ｍ及びｋはともに零より大きいか等しい整数であり、Ｋは前記Kの値集合を示すことを特徴とする請求項１３に記載のアップリンクデータの伝送装置。
【請求項１７】
前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}であることを特徴とする請求項１６に記載のアップリンクデータの伝送装置。
【請求項１８】
前記スロットの長さは３つのＯＦＤＭシンボルであり、
ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}であり、
または、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}であり、
または、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}であり、
または、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}であることを特徴とする請求項１６に記載のアップリンクデータの伝送装置。
【請求項１９】
ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定する受信ユニットと、
前記アップリンクデータの送信スロットでアップリンクデータを送信する送信ユニットとを備え、
前記スロットは長さが１ミリ秒より短い時間単位であり、前記定義済みスケジューリングタイミングは、前記ネットワーク側にスロットｎで前記アップリンク・スケジューリング・シグナリングを送信する場合、前記送信ユニットがスロットｎ+ lでアップリンクデータを前記ネットワーク側に送信し、l∈Ｌであり、ｎは零より大きいか等しい整数であり、Lは１より大きいか等しい整数であり、Ｌはlの値集合を示すことを特徴とするアップリンクデータの伝送装置。
【請求項２０】
前記スロットの長さは、７つの直交周波数分割多重方式（ＯＦＤＭ）シンボルであり、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、 
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}であることを特徴とする請求項１９に記載のアップリンクデータの伝送装置。
【請求項２１】
前記スロットの長さは３つのＯＦＤＭシンボルであり、
ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}であり、
または、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}であり、
または、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}であり、
または、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}であることを特徴とする請求項１９に記載のアップリンクデータの伝送装置。
【請求項２２】
前記送信ユニットが前記アップリンクデータの送信スロットでアップリンクデータを送信した後、前記受信ユニットは、
定義済みアップリンクデータフィードバック・タイミングに基づき、前記ネットワーク側が送信した前記アップリンクデータのフィードバック情報を受信し、
前記定義済みフィードバック・タイミングは、前記ネットワーク側がスロットｍ-kで前記送信ユニットからアップリンクデータを受信する場合、k∈Ｋ、前記ネットワーク側がスロットｍで前記アップリンクデータのフィードバック情報を前記アップリンクデータ伝送装置に送信し、k∈Ｋであり、ｍ及びｋはともに零より大きいか等しい整数であり、Ｋは前記kの値集合を示すことを特徴とする請求項１９に記載のアップリンクデータの伝送装置。
【請求項２３】
前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}であることを特徴とする請求項１９に記載のアップリンクデータの伝送装置。
【請求項２４】
前記スロットの長さは３つのＯＦＤＭシンボルであり、
ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}であり、
または、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}であり、
または、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}であり、
または、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}であることを特徴とする請求項２２に記載のアップリンクデータの伝送装置。
【請求項２５】
アップリンクデータの伝送装置であって、
前記装置は、プロセッサと、送受信機と、メモリとを備え、
前記プロセッサは、メモリに格納されたプログラムを読み出して、データ伝送に用いるスロットサイズを決定し、前記スロットサイズに基づき、送受信機を介して、アップリンク・スケジューリング・シグナリングをＵＥに送信し、
定義済みスケジューリングタイミングに基づき、送受信機を介して前記ＵＥからアップリンクデータを受信し、
前記スロットは長さが１ミリ秒より短い時間単位であり、前記定義済みスケジューリングタイミングは、前記アップリンクデータの伝送装置がスロットｎで前記アップリンク・スケジューリング・シグナリングを送信する場合、前記アップリンクデータの伝送装置がスロットｎ+lで前記ＵＥからアップリンクデータを受信し、l∈Ｌであり、ｎは零より大きいか等しい整数であり、Lは１より大きいか等しい整数であり、Ｌはlの値集合を示すことを特徴とするアップリンクデータの伝送装置。
【請求項２６】
アップリンクデータの伝送装置であって、
前記装置は、プロセッサと、送受信機と、メモリとを備え、
前記プロセッサは、メモリに格納されたプログラムを読み出して、
送受信機を介して、ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定し、
前記アップリンクデータの送信スロットで、送受信機を介してアップリンクデータを送信し、
前記スロットは長さが１ミリ秒より短い時間単位であり、前記定義済みスケジューリングタイミングは、前記ネットワーク側にスロットｎで前記アップリンク・スケジューリング・シグナリングを送信する場合、前記アップリンクデータの伝送装置がスロットｎ+lでアップリンクデータを前記ネットワーク側に送信し、l∈Ｌであり、ｎは零より大きいか等しい整数であり、lは１より大きいか等しい整数であり、Ｌはlの値集合を示す
ことを特徴とするアップリンクデータの伝送装置。
【発明の詳細な説明】
【技術分野】
【０００１】
本発明は通信技術分野に関し、特に、アップリンクデータの伝送方法及び装置に関する。
【背景技術】
【０００２】
移動通信トラフィックへのニーズ変化に応じるように、ＩＴＵ（Ｉｎｔｅｒｎａｔｉｏｎａｌ ＴｅＬｅｃｏｍｍｕｎｉｃａｔｉｏｎ Ｕｎｉｏｎ）等複数の機構は、将来移動通信システムのためにより高いユーザ・プレーン遅延性能を定義した。ユーザ・プレーン遅延を低減するため、より短いスロット（１ｍＳより小さい）を導入してデータを伝送し、基地局及びＵＥ（Ｕｓｅｒ Ｅｑｕｉｐｍｅｎｔ）の処理時間及び￥スロット伝送時間を低減する。従来のアップリンク・スケジューリング及びフィードバック・タイミングそのままで利用すれば、ＵＥがアップリンク・スケジューリング・シグナリングを即時に応答できなくなり、基地局も、アップリンクデータを即時にフィードバックできなくなるか、スケジューリング再伝送（ｓｃｈｅｄｕｌｅ  ｒｅ−ｔｒａｎｓｍｉｓｓｉｏｎ）を行うことができなくなる。
【０００３】
ＬＴＥ（Ｌｏｎｇ Ｔｅｒｍ Ｅｖｏｌｕｔｉｏｎ）システムにおける中的フレーム構造を説明する。
【０００４】
ＬＴＥシステムにおいて、ＦＤＤ（ｆｒｅｑｕｅｎｃｙ Ｄｉｖｉｓｉｏｎ Ｄｕｐｌｅｘ， ＦＤＤ）モード及びＴＤＤ（Ｔｉｍｅ Ｄｉｖｉｓｉｏｎ Ｄｕｐｌｅｘ）モードの場合、ともに１０ｍＳの無線フレーム及び１ｍＳのサブフレームが定義されている。ＴＤＤモードの無線フレームの場合、７種のＴＤＤＵＬ/ＤＬ構成が定義され、具体的にいかの表１示される。ここで、Ｄはダウンリンク（ＤＬ）サブフレームを示し、Uはアップリンク（ＵＬ）サブフレームを示し、Ｓは、ＴＤＤシステムのスペシャル・サブフレームを示す。１サブフレームにおけるダウンリンクデータ伝送には、１ｍＳ スロットが利用される。
【０００５】
【表１】
2018525914.tif 000003
【０００６】
ＬＴＥの物理的アップリンク共有チャネル（ｐｈｙｓｉｃａｌ Ｕｐｌｉｎｋ ｓｈａｒｅｄ ｃｈａｎｎｅｌ，ＰＵＳＣＨ）スケジューリングタイミングを説明する。
【０００７】
ＬＴＥ ＴＤＤシステムにおいて、ＴＤＤＵＬ/ＤＬ構成１-６及びＨＡＲＱ（Ｈｙｂｒｉｄ Ａｕｔｏｍａｔｉｃ Ｒｅｐｅａｔ ｒｅｑｕｅｓｔ）動作の場合、ＵＥは、サブフレームｎにおいて検出した、ダウンリンク制御情報（Ｄｏｗｎｌｉｎｋ Ｃｏｎｔｒｏｌ Iｎforｍatioｎ， ＤＣＩ）フォーマット０またはフォーマット４を有する物理的ダウンリンク制御チャネル（ｐｈｙｓｉｃａｌ Ｄｏｗｎｌｉｎｋ Ｃｏｎｔｒｏｌ ｃｈａｎｎｅｌ， ＰＤＣＣＨ）及び/またはＰＨＩＣＨ（ｐｈｙｓｉｃａｌ ＨＡＲＱ Ｉｎｄｉｃａｔｏｒ ｃｈａｎｎｅｌ，ＰＨＩＣＨ）伝送、ＰＤＣＣＨ及びＰＨＩＣＨ指示により、サブフレームｎ+k（kは表２にしめす）に対応するＰＵＳＣＨ伝送を調整する。
【０００８】
ＴＤＤＵＬ/ＤＬ構成０及び従来のＨＡＲＱ動作の場合、ＤＣＩフォーマット０におけるアップリンク・インデックスの最上位ビット（ＭoＳt Ｓigｎificaｎt Bit，ＭＳB）が１とされたか、または、サブフレームｎ=０や５の対応するリソース
【０００９】
【数１】
2018525914.tif 000004
【００１０】
においてＰＨＩＣＨを受信するば、サブフレームｎ+kの（k値は表２に示す）対応のＰＵＳＣＨ伝送を調整する。ＴＤＤＵＬ/ＤＬ構成０及び従来のＨＡＲＱ動作の場合、サブフレームｎのＤＣＩフォーマット０のアップリンク・インデックスの最下位ビット（Ｌｅａｓｔ Ｓigｎificaｎt Bit， ＬＳＢ）が１とされたか、または、サブフレームｎ=０や５の対応のリソース
【００１１】
【数２】
2018525914.tif 000005
【００１２】
においてＰＨＩＣＨを受信したか、または、サブフレームｎ=１や６においてＰＨＩＣＨを受信すれば、ＵＥはサブフレームｎ+７における対応のＰＵＳＣＨ伝送を調整する。ＴＤＤＵＬ/ＤＬ構成０の場合、サブフレームｎにおけるＤＣＩフォーマット０のアップリンク・インデックスの２つのＭＳＢ及びＬＳＢがともに１であれば、ＵＥは２つのサブフレームｎ+k（k値は表２に示す）及びｎ+７における対応のＰＵＳＣＨ伝送を調整する。
【００１３】
【表２】
2018525914.tif 000006
【００１４】
ＬＴＥシステムにおいて、複数の無線フレームは順次に配列され、表２は、１つの無線フレームの例を挙げて、それぞれのダウンリンクサブフレームに対応するＫを示したものに過ぎず、ここで、ｎ+k>９は、次の無線フレームにおける第ｎ+k-９番目ダウンリンクサブフレームを示すものである。
【００１５】
＜ＬＴＥ中のＰＵＳＣＨ ＨＡＲＱフィードバック・タイミング＞
【００１６】
ＬＴＥ ＦＤＤシステムにおいて、ＵＥはアップリンクサブフレーム
【００１７】
【数３】
2018525914.tif 000007
【００１８】
においてＰＵＳＣＨ伝送を検出し、ダウンリンクサブフレームｎにおける対応のＰＨＩＣＨリソースのいて、ＰＨＩＣＨ情報をフィードバックする。
【００１９】
ＬＴＥ ＴＤＤシステムにおいて、ＴＤＤＵＬ/ＤＬ構成１-６の場合、ＵＥは、アップリンクサブフレーム
【００２０】
【数４】
2018525914.tif 000008
【００２１】
において、ＰＵＳＣＨ伝送を検出し、ダウンリンクサブフレームｎにおける対応のＰＨＩＣＨリソースにおいてＰＨＩＣＨ情報をフィードバックする。ここで、
【００２２】
【数５】
2018525914.tif 000009
は表３に示す。
【００２３】
ＬＴＥ ＴＤＤシステムにおいて、ＴＤＤＵＬ/ＤＬ構成０の場合、ＵＥは、アップリンクサブフレーム
【００２４】
【数６】
2018525914.tif 000010
【００２５】
においてＰＵＳＣＨ伝送を検出し、ダウンリンクサブフレームｎにおけるIＰＨＩＣＨ=０に対応するＰＨＩＣＨリソースにおいて対応のＰＨＩＣＨ情報をフィードバックする。ここで、
【００２６】
【数７】
2018525914.tif 000011
【００２７】
は表３に示す。または、ＵＥは、アップリンクサブフレーム
【００２８】
【数８】
2018525914.tif 000012
【００２９】
においてＰＵＳＣＨ伝送を検出し、ダウンリンクサブフレームｎにおけるIＰＨＩＣＨ=１に対応するＰＨＩＣＨリソースにおいて対応のＰＨＩＣＨ情報をフィードバックする。 
【００３０】
【表３】
2018525914.tif 000013
【００３１】
＜ＬＴＥシステムにおける往復時間（Ｒｏｕｎｄ Ｔｒｉｐ Ｔｉｍｅ，ＲＴＴ）＞
【００３２】
ＲＴＴは、ＨＡＲＱにおいて、一回のデータパケット伝送の終了までの時間として定義され、データパケットが送信端から送信されるから受信端において受信されて、結果に従って、確認情報（ＡＣＫ）または非確認情報（ＮＡＣＫ）シグナリングをフィードバックし、トランスミッターがACＫまたは、ＮＡＣＫ信号を復調した後、次のフレームにて再伝送または新データパケットの伝送を決定する全過程を示す。図１に示すように、Tpは片方向伝播遅延であり、ＴＵＥはＵＥがが進化型基地局（ｅＮＢ）からフィードバックされた後の処理遅延であり、Ｔｅｎｂは、ｅＮＢがアップリンクデータを受信した後の処理遅延である。ＴＤＥＬＡＹ１は、ＴＤＤフレーム構造中、ｅＮＢがアップリンクブロックの処理済みから、直後のダウンリンクスロットまでの待ち時間である。ＴＤＥＬＡＹ２は、ＴＤＤフレーム構造中、ＵＥがｅＮＢからのフィードバックの処理済みから、直後のアップリンクスロットまでの待ち時間である。
【００３３】
ＦＤＤシステムの場合、同一のＲＴＴを有するが、ＴＤＤシステムの場合、ＲＴＴはＵＬ/ＤＬ構成と関連する。
【００３４】
＜ＬＴＥシステムのユーザ・プレーン遅延＞
【００３５】
３ＧＰＰ ＴＲ３６.９１２付録Ｂ.２節の定義によれば、ＬＴＥシステムのユーザ・プレーン遅延は、基地局処理時間、フレームアライメント時間、スロット時間及びＵＥ処理時間との４つの部分から構成され、ここで、フレームアライメント時間は、トラフィック到達からトラフィックが無線インターフェイスサブフレームにおいて伝送できるまでの待ち時間をいう。システムのＨＡＲＱ再伝送を考慮すると、ＬＴＥシステムのユーザ・プレーン遅延は、データ再伝送にかかる時間をさらに含む。
【００３６】
よって、ＬＴＥシステムにおいて短スロットを利用して伝送する場合、一回伝送したデータパケットが短くで、ＵＥは、スケジューリングシグナリングを受信した後、アップリンク伝送データをより早く準備することができ、基地局も受信したデータパケットをより早く復調することができる。もし、依然として従来のアップリンクデータスケジューリング及びフィードバック・タイミングを利用すれば、ユーザーはアップリンク・スケジューリング・シグナリングを即時に応答できず、かつ、基地局のフィードバック及びスケジューリング再伝送時間が長くなってしまう。
【発明の概要】
【発明が解決しようとする課題】
【００３７】
本発明に係る実施例は、アップリンクデータの伝送方法及び装置を提供し、短スロット伝送場合のＲＴＴ時間を短縮し、ユーザ・プレーン遅延を低減し、システム性能を向上することができる。
【課題を解決するための手段】
【００３８】
本発明に係る実施例のアップリンクデータの伝送方法は、
ネットワーク側は、データ伝送に用いられるスロットサイズを決定し、前記スロットサイズに基づきアップリンク・スケジューリング・シグナリングをＵＥに送信するステップと、
前記ネットワーク側は、定義済みスケジューリングタイミングに基づき前記ＵＥからアップリンクデータを受信するステップとを備え、
前記スロットは長さが１ミリ秒より短い時間単位であり、前記定義済みスケジューリングタイミングは、前記ネットワーク側にスロットｎで前記アップリンク・スケジューリング・シグナリングを送信する場合、前記ネットワーク側は、スロットｎ+lで前記ＵＥからアップリンクデータを受信し、l∈Ｌであり、ｎは零より大きいか等しい整数であり、lは１より大きいか等しい整数であり、Ｌはlの値集合を示す。
【００３９】
当該方法によれば、短スロット伝送場合のＵＥが、ネットワーク側からアップリンク・スケジューリング・シグナリングを受信した後、アップリンク伝送のデータをより速く準備することができ、また、ネットワーク側も受信したアップリンクデータパケットをより速く復調してフィードバックするかスケジューリング再伝送を行い、こうして、短スロット伝送データ場合のＲＴＴ時間を短縮し、ユーザ・プレーン遅延を低減し、システム性能を向上した。
【００４０】
オプションとして、前記スロットの長さは、７つの直交周波数分割多重方式（ＯＦＤＭ）シンボルであり、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}である。
【００４１】
オプションとして、前記スロットの長さは３つのＯＦＤＭシンボルであり、
ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}であり、
または、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}であり、
または、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}であり、
または、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}である。
【００４２】
オプションとして、前記ネットワーク側が定義済みスケジューリングタイミングに基づき前記ＵＥからアップリンクデータを受信した後、当該方法は、
前記ネットワーク側は、定義済みアップリンクデータフィードバック・タイミングに基づき、前記アップリンクデータのフィードバック情報を前記ＵＥに送信するステップをさらに備え、
前記定義済みフィードバック・タイミングは、前記ネットワーク側がスロットｍ-kにおいて前記ＵＥからアップリンクデータを受信する場合、k∈Ｋ、前記ネットワーク側がスロットｍにおいて前記アップリンクデータのフィードバック情報を前記ＵＥに送信する場合、k∈Ｋ、ｍ及びｋはともに零より大きいか等しい整数であり、Ｋは前記kの値集合を示す。
【００４３】
オプションとして、前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}である。
【００４４】
オプションとして、前記スロットの長さは３つのＯＦＤＭシンボルであり、
ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}であり、
または、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}であり、
または、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}であり、
または、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}である。
【００４５】
本発明に係る実施例のアップリンクデータの伝送方法は、
ＵＥは、ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定するステップと、
前記ＵＥは、前記アップリンクデータの送信スロットにおいて、アップリンクデータを送信するステップとを備え、
前記スロットは長さが１ミリ秒より短い時間単位であり、前記定義済みスケジューリングタイミングは、前記ネットワーク側にスロットｎで前記アップリンク・スケジューリング・シグナリングを送信する場合、前記ＵＥがスロットｎ+lでアップリンクデータを前記ネットワーク側に送信し、l∈Ｌ、ｎは零より大きいか等しい整数であり、lは１より大きいか等しい整数であり、Ｌはlの値集合を示す。
【００４６】
オプションとして、前記スロットの長さは、７つの直交周波数分割多重方式（ＯＦＤＭ）シンボルであり、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}である。
【００４７】
オプションとして、前記スロットの長さは３つのＯＦＤＭシンボルであり、
ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}であり、
または、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}であり、
または、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}であり、
または、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}である。
【００４８】
オプションとして、前記ＵＥが前記アップリンクデータの送信スロットでアップリンクデータを送信した後、当該方法は、
前記ＵＥは、定義済みアップリンクデータフィードバック・タイミングに基づき、前記ネットワーク側が送信した前記アップリンクデータのフィードバック情報を受信するステップをさらに備え、前記定義済みフィードバック・タイミングは、前記ネットワーク側がスロットｍ-kにおいて前記ＵＥからアップリンクデータを受信する場合、k∈Ｋ、前記ネットワーク側がスロットｍにおいて前記アップリンクデータのフィードバック情報を前記ＵＥに送信する場合、k∈Ｋ、ｍ及びkはともに零より大きいか等しい整数であり、Ｋは前記kの値集合を示す。
【００４９】
オプションとして、前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}である。
【００５０】
オプションとして、前記スロットの長さは３つのＯＦＤＭシンボルであり、
ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}であり、
または、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}であり、
または、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}であり、
または、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}である。
【００５１】
本発明に係る実施例のアップリンクデータ的伝送装置は、
データ伝送に用いるスロットサイズを決定し、前記スロットサイズに基づきアップリンク・スケジューリング・シグナリングをＵＥに送信する決定ユニットと、
定義済みスケジューリングタイミングに基づき、前記ＵＥからアップリンクデータを受信する受信ユニットとを備え、
前記スロットは長さが１ミリ秒より短い時間単位であり、前記定義済みスケジューリングタイミングは、前記決定ユニットがスロットｎで前記アップリンク・スケジューリング・シグナリングを送信する場合、前記受信ユニットがスロットｎ+lで前記ＵＥからアップリンクデータを受信し、l∈Ｌ、ｎは零より大きいか等しい整数であり、lは１より大きいか等しい整数であり、Ｌはlの値集合を示す。
【００５２】
オプションとして、前記スロットの長さは、７つの直交周波数分割多重方式（ＯＦＤＭ）シンボルであり、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}である。
【００５３】
オプションとして、前記スロットの長さは３つのＯＦＤＭシンボルであり、
ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}であり、
または、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}であり、
または、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}であり、
または、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}である。
【００５４】
オプションとして、前記決定ユニットは、前記受信ユニットが定義済みスケジューリングタイミングに基づき、前記ＵＥからアップリンクデータを受信した後、定義済みアップリンクデータフィードバック・タイミングに基づき、前記アップリンクデータのフィードバック情報を前記ＵＥに送信し、
前記定義済みフィードバック・タイミングは、前記受信ユニットがスロットｍ-kで前記ＵＥからアップリンクデータを受信する場合、k∈Ｋ、前記決定ユニットがスロットｍで前記アップリンクデータのフィードバック情報を前記ＵＥに送信する場合、k∈Ｋ、ｍ及びkはともに零より大きいか等しい整数であり、Ｋは前記kの値集合を示す。
【００５５】
オプションとして、前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}である。
【００５６】
オプションとして、前記スロットの長さは３つのＯＦＤＭシンボルであり、
ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}であり、
または、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}であり、
または、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}であり、
または、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}である。
【００５７】
本発明に係る実施例のアップリンクデータの伝送装置は、
ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定する受信ユニットと、
前記アップリンクデータの送信スロットでアップリンクデータを送信する送信ユニットとを備え、
前記スロットは長さが１ミリ秒より短い時間単位であり、前記定義済みスケジューリングタイミングは、前記ネットワーク側にスロットｎで前記アップリンク・スケジューリング・シグナリングを送信する場合、前記送信ユニットがスロットｎ+lでアップリンクデータを前記ネットワーク側に送信し、l∈Ｌ、ｎは零より大きいか等しい整数であり、lは１より大きいか等しい整数であり、Ｌはlの値集合を示す。
【００５８】
オプションとして、前記スロットの長さは、７つの直交周波数分割多重方式（ＯＦＤＭ）シンボルであり、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}である。
【００５９】
オプションとして、前記スロットの長さは３つのＯＦＤＭシンボルであり、
ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}であり、
または、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}であり、
または、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}であり、
または、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}である。
【００６０】
オプションとして、前記送信ユニットが前記アップリンクデータの送信スロットでアップリンクデータを送信した後、前記受信ユニットは、
定義済みアップリンクデータフィードバック・タイミングに基づき、前記ネットワーク側が送信した前記アップリンクデータのフィードバック情報を受信し、前記定義済みフィードバック・タイミングは、前記ネットワーク側がスロットｍ-kで前記送信ユニットからアップリンクデータを受信する場合、k∈Ｋ、前記ネットワーク側がスロットｍで前記アップリンクデータのフィードバック情報を前記アップリンクデータ伝送装置に送信し、k∈Ｋ、ｍ及びｋはともに零より大きいか等しい整数であり、Ｋは前記kの値集合を示す。
【００６１】
オプションとして、前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}である。
【００６２】
オプションとして、前記スロットの長さは３つのＯＦＤＭシンボルであり、
ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}であり、
または、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}であり、
または、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}であり、
または、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}である。
【００６３】
本発明に係る実施例のアップリンクデータの伝送装置は、プロセッサと、送受信機と、メモリとを備え、
前記プロセッサは、メモリに格納されたプログラムを読み出して、データ伝送に用いるスロットサイズを決定し、前記スロットサイズに基づき、送受信機を介して、アップリンク・スケジューリング・シグナリングをＵＥに送信し、
定義済みスケジューリングタイミングに基づき、送受信機を介して前記ＵＥからアップリンクデータを受信し、
前記スロットは長さが１ミリ秒より短い時間単位であり、前記定義済みスケジューリングタイミングは、前記アップリンクデータの伝送装置がスロットｎで前記アップリンク・スケジューリング・シグナリングを送信する場合、前記アップリンクデータの伝送装置がスロットｎ+lで前記ＵＥからアップリンクデータを受信し、l∈Ｌ、ｎ及びlはともに零より大きいか等しい整数であり、Ｌはlの値集合を示す。
【００６４】
本発明に係る実施例のアップリンクデータの伝送装置は、プロセッサと、送受信機と、メモリとを備え、
前記プロセッサは、メモリに格納されたプログラムを読み出して、送受信機を介して、ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定し、
前記アップリンクデータの送信スロットで、送受信機を介してアップリンクデータを送信し、
前記スロットは長さが１ミリ秒より短い時間単位であり、前記定義済みスケジューリングタイミングは、前記ネットワーク側にスロットｎで前記アップリンク・スケジューリング・シグナリングを送信する場合、前記アップリンクデータの伝送装置がスロットｎ+lでアップリンクデータを前記ネットワーク側に送信し、l∈Ｌ、ｎ及びlはともに零より大きいか等しい整数であり、Ｌはlの値集合を示す。
【図面の簡単な説明】
【００６５】
【図１】従来技術のアップリンクＨＡＲＱ ＲＴＴモデルを示す図である。
【図２】本発明に係る実施例のネットワーク側におけるアップリンクデータの伝送方法の的フローチャートである。
【図３】本発明に係る実施例のアップリンクＨＡＲＱフィードバック・タイミングを示す図である。
【図４】本発明に係る実施例のアップリンクＨＡＲＱフィードバック・タイミングを示す図である。
【図５】本発明に係る実施例のアップリンクＨＡＲＱフィードバック・タイミングを示す図である。
【図６】本発明に係る実施例のアップリンクＨＡＲＱフィードバック・タイミングを示す図である。
【図７】本発明に係る実施例のアップリンクＨＡＲＱフィードバック・タイミングを示す図である。
【図８】本発明に係る実施例のアップリンクＨＡＲＱフィードバック・タイミングを示す図である。
【図９】本発明に係る実施例のアップリンクＨＡＲＱフィードバック・タイミングを示す図である。
【図１０】本発明に係る実施例のアップリンクＨＡＲＱフィードバック・タイミングを示す図である。
【図１１】本発明に係る実施例のアップリンクＨＡＲＱフィードバック・タイミングを示す図である。
【図１２】本発明に係る実施例のＵＥ側におけるアップリンクデータの伝送方法のフローチャートである。
【図１３】本発明に係る実施例のネットワーク側におけるアップリンクデータの伝送装置の構造図である。
【図１４】本発明に係る実施例のＵＥ側おけるアップリンクデータの伝送装置の構造図である。
【図１５】本発明に係る実施例のネットワーク側おけるアップリンクデータの伝送装置の構造図である。
【図１６】本発明に係る実施例のＵＥ側おけるアップリンクデータの伝送装置の構造図である。
【発明を実施するための形態】
【００６６】
本発明に係る実施例はアップリンクデータの伝送方法及び装置を提供して、短スロット伝送場合のＲＴＴ時間を短縮し、ユーザ・プレーン遅延を低減し、システム性能を向上することができる。
【００６７】
図２を参照する。ネットワーク側、例えば基地局側において、本発明に係る実施例が提供するアップリンクデータの伝送方法は、以下のステップを備える。
【００６８】
Ｓ１０１において、ネットワーク側は、データ伝送に用いられるスロットサイズを決定し、前記スロットサイズに基づきアップリンク・スケジューリング・シグナリングをＵＥに送信する。
【００６９】
Ｓ１０２において、ネットワーク側は、定義済みスケジューリングタイミングに基づき、ＵＥからアップリンクデータを受信する。
【００７０】
ここで、前記データ伝送に用いられるスロット長さは、１ミリ秒より短い時間単位であり、定義済みスケジューリングタイミングは、ネットワーク側がスロットｎでアップリンク・スケジューリング・シグナリングを送信する場合、ネットワーク側は、スロットｎ+lでＵＥからアップリンクデータを受信し、l∈Ｌ。ｎ及びlはともに零より大きいか等しい整数であり、Ｌはlの値集合を示す。
【００７１】
当該方法によれば、短スロット伝送場合のＵＥが、ネットワーク側からアップリンク・スケジューリング・シグナリングを受信した後、アップリンク伝送のデータをより速く準備することができ、また、ネットワーク側も受信したアップリンクデータパケットをより速く復調してフィードバックするかをスケジューリング再伝送を行い、こうして、短スロット伝送データ場合のＲＴＴ時間を短縮し、ユーザ・プレーン遅延を低減し、システム性能を向上した。
【００７２】
本発明に係る実施例の各々サブフレームに１つまたは複数のスロットがふくまれ、それぞれのスロットの長さは、システムにより事前に設定されたものである。本発明の実施例において、定義されたスケジューリングタイミングは、基地局がダウンリンクスロットｎにおいて、アップリンクスロットｎ+Ｌに対するアップリンク・スケジューリング・シグナリング（スケジューリング始伝送または再伝送）を送信し、ここで、Ｌ∈Ｌ。定義されたフィードバック・タイミングは、基地局がダウンリンクスロットｍにおいて、アップリンクスロットｍ-kをフィードバックし、ここで、k∈Ｋ。本発明のいずれの実施例に、l値及びk値の集合を提供し、l及びkの意味をさらに説明しない。本発明に係る実施例のスケジューリングタイミングは、ネットワーク側により送信されたアップリンク・スケジューリング・シグナリングに用いられるスロットと、当該アップリンク・スケジューリング・シグナリングが示す、ＵＥがアップリンクデータを伝送するのに用いられるスロットの間の対応関係を表す。本発明に係る実施例のフィードバック・タイミングは、ネットワーク側がップリンクデータを受信した後、当該アップリンクデータのフィードバック情報を伝送するのにもちいられるスロットと、当該ＵＥが当該アップリンクデータを送信するのに用いられるスロットの間の対応関係を示す。
【００７３】
本発明に係る実施例において、ｎ+ＬがPより大きい場合、基地局がスロットｎでつぎのフレームにおけるスロットｎ+Ｌ-Pに対し、アップリンク・スケジューリングを行うことを示し、Pは１つの無線フレームに含まれるスロットの総数を示す。
【００７４】
ここで、留意されたいのは、本発明に係る実施例において、ｍ-kが零より小さい場合、表示基地局がスロットｍで、ＵＥが直前のフレームにおける後ろから数えて第|ｍ-k|番目のスロットで送信したアップリンクデータのフィードバック情報を送信することを示す。
【００７５】
以下の本発明に係る実施例において、スロットが７つのＯＦＤＭシンボルを占有する場合、無線フレームごとに２０個のスロットが含まれ、０から１９までの番号を付け、即ち、スロット０、スロット１、スロット２……スロット１９である。スロットが３個のＯＦＤＭシンボルを占有する場合、無線フレームごとに４０個のスロットが含まれ、０から３９までの番号を付け、即ち、スロット０、スロット１、スロット２……スロット３９である。
【００７６】
実施例１：
システムにおける設定済みスロットが７個のＯＦＤＭシンボルを占有し、ここで、スロット３、スロット４、スロット５、スロット７、スロット９、スロット１３、スロット１４、スロット１５、スロット１７、スロット１９はアップリンクスロットである。アップリンクＨＡＲＱタイミングは、具体的に図３に示すように、図３はハーフ無線フレームにおける各々アップリンクスロット（即ち、スロット３、スロット４、スロット５、スロット７、スロット９）に対応する具体的なスケジューリング及びフィードバック・タイミングを示した。ここで、１つのサブフレームに２つのスロットが含まれ、１４個のＯＦＤＭシンボルを占有する。
【００７７】
＜スケジューリングタイミング＞ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}である。
【００７８】
即ち、図３を参照して、下ハーフフレームにおけるサブフレーム５からサブフレーム９までに対応するスロットの例を挙げ（上ハーフフレームも同様である）、本実施例において、基地局は、スロット１０でアップリンク・スケジューリング・シグナリングをＵＥに送信して、スロット１４でアップリンクデータを送信するように、ＵＥに指示する。基地局は、スロット１１でアップリンク・スケジューリング・シグナリングをＵＥに送信して、スロット１５でアップリンクデータを送信するように、ＵＥに指示する。基地局は、スロット１２でアップリンク・スケジューリング・シグナリングをＵＥに送信して、スロット１７及び/またはスロット１９でアップリンクデータを送信するように、ＵＥに指示する。基地局は、スロット１８でアップリンク・スケジューリング・シグナリングをＵＥに送信して、つぎのフレームにおけるスロット３（即ち、１８+５-２０）でアップリンクデータを送信するように、ＵＥに指示する。ここで、スロット３は、つぎのように決められた。ｎ+ＬがPより大きい場合、基地局がスロットｎでつぎのフレームにおけるスロットｎ+Ｌ-Pに対しアップリンク・スケジューリングを行うことを示し、Pは１つの無線フレームに含まれるスロットの総数を示し、本実施例のPは２０とするが、もちろん、Pの値は、たの値としてもよく、本実施例はこれについて限定しない。
【００７９】
本発明に係る実施例において、定義済みスケジューリングタイミングが非同期ＨＡＲＱに適用される場合、アップリンク・スケジューリング・シグナリングにはＨＡＲＱプロセス情報フィールドがさらに含まれ、ＨＡＲＱプロセス情報フィールドは、ＨＡＲＱプロセス番号を示す。
【００８０】
アップリンクＨＡＲＱプロセス数がＮである場合、ＨＡＲＱプロセス情報フィールドに含まれるビット数は
【数９】
2018525914.tif 000014
である。
【００８１】
１つのダウンリンクスロットにおいて複数のアップリンクスロットをスケジューリングする場合、アップリンク・スケジューリング・シグナリングにはＵＬ iｎＤex情報フィールドが含まれ、ＵＬ iｎＤex情報フィールドは、マルチスロットスケジューリングを示す。
【００８２】
１つのダウンリンクスロットにおいて、最大Ｍ個のアップリンクスロットをスケジューリングする場合、ＵＬ iｎＤex情報フィールドに含まれるビット数は
【数１０】
2018525914.tif 000015
である。
【００８３】
＜フィードバック・タイミング＞ダウンリンクスロットｍ=０、１、１０または１１の場合、Ｋ={７}であり、ダウンリンクスロットｍ =２または１２の場合、Ｋ={５,７}であり、ダウンリンクスロットｍ=８または１８の場合、Ｋ={９}である。
【００８４】
ネットワーク側が１つのダウンリンクスロットにおいて複数のアップリンクスロットをフィードバックする場合、ネットワーク側は、異なるＰＨＩＣＨリソースにおいて、異なるスロットのアップリンクデータをフィードバックする。
【００８５】
上述のＰＨＩＣＨリソースは、従来のＰＨＩＣＨリソースであってもよく、従来のＰＨＩＣＨリソースと異なるEＰＨＩＣＨリソースであってもよい。
【００８６】
ここで留意されたいのは、本発明に係る実施例のスケジューリングタイミングに基づき、ネットワーク側から送信されたアップリンク始伝送またはスケジューリングシグナリング再伝送に用いられるスロットと、当該アップリンク・スケジューリング・シグナリングにより示す、ＵＥがアップリンクデータを伝送するのに用いるスロットの間の対応関係を決定することができる。また、ネットワーク側により送信されたフィードバック情報に用いられるスロットと、ＵＥがフィードバック情報に基づきアップリンクデータ再伝送を送信するのに用いるスロットの間の対応関係を決定する。
【００８７】
本実施例において、同一のアップリンクスロットの場合、そのダウンリンクスケジューリングスロットｎ及びダウンリンクフィードバックスロットｍは、異なるスロットである。異なるアップリンクスロットの場合、スケジューリングスロットｎ及びフィードバックスロットｍは、同一のスロットである可能性もある。以下の実施例は、同様であり、繰り返して説明しない。
【００８８】
即ち、図３を参照して、下ハーフフレームにおけるサブフレーム５からないしサブフレーム９までに対応するスロットの例を上げ（上ハーフフレームも同様）、本実施例において、基地局は、スロット１０でＵＥがスロット３出送信したアップリンクデータのフィードバック情報を送信する。基地局は、スロット１１でＵＥがスロット４で送信したアップリンクデータのフィードバック情報を送信する。基地局は、スロット１２でＵＥがスロット５及び/またはスロット７で送信したアップリンクデータのフィードバック情報を送信する。基地局は、スロット１８でＵＥがスロット９で送信したアップリンクデータのフィードバック情報を送信する。
【００８９】
本発明に係る実施例において、ｍ-kが零より小さい場合、基地局は、スロットｍでＵＥが直前のフレームにおける後ろから数えて|ｍ-k|番目のスロットで送信したアップリンクデータのフィードバック情報を送信することを、示す。
【００９０】
本実施例のスケジューリングタイミング及びフィードバック・タイミングが必ずともに利用されるわけではない。即ち、本実施例のスケジューリングタイミングを利用して、アップリンク・スケジューリングを行う場合、必ず本実施例のフィードバック・タイミングを利用してアップリンクデータをフィードバックするわけではない。以下の各々実施例も同様であり、繰り返して説明しない。
【００９１】
または、本発明に係る実施例を示す図において、各々プロセスにおける第１アップリンクスロット（図における１番目のＵが表示されているボックス）は、始伝送のスロットを示し、直後の灰色ボックスに対応するスロットはアップリンクデータのフィードバック情報に用いられるスロットまたはスケジューリングシグナリングの再伝送に用いられるスロットを示し、最後のスロット（図における最後のＵが表示されている ボックス）は、再伝送するアップリンクデータに用いられるスロットを示す。本発明に係る実施例が提供する各々図において、上ハーフ無線フレームに対応するＨＡＲＱタイミングのみが示されたが、１つの無線フレームには、上ハーフフレーム及び下ハーフフレームにおける上ダウンリンクスロットの構成が同様であるため、１つのスロット長さは７つのＯＦＤＭシンボルである場合、上ハーフフレームのスロットｎ及び下ハーフフレームに対応するスロットｎ+１０のＨＡＲＱタイミングは同様である。１つのスロット長さが３つのＯＦＤＭシンボルである場合、上ハーフフレームのスロットｎ及び下ハーフフレームに対応するスロットｎ+２０のＨＡＲＱタイミングは同様である。上ハーフ無線フレームにおけるアップリンクＨＡＲＱタイミングに基づき、下ハーフ無線フレームにおけるアップリンクＨＡＲＱタイミングを得ることができる。例えば、図３のスロット３及びスロット１３のＨＡＲＱタイミングは同様であり、スロット４及びスロット１４のＨＡＲＱタイミングは同様であり、スロット５及びスロット１５のＨＡＲＱタイミングは同様であり、スロット７及びスロット１７のＨＡＲＱタイミングは同様であり、スロット９及びスロット１９のＨＡＲＱタイミングは同様である。本発明に係る実施例について、後述実施例に対する理解はここと同様であり、図には上ハーフ無線フレームのＨＡＲＱタイミングのみが示されているが、繰り返して説明しない。
【００９２】
本発明に係る実施例を示す各図面に描いたプロセスは、アップリンクデータをスケジューリングまたはフィードバックする場合のＨＡＲＱタイミング関係のみを示した。そのプロセス数が、実際のアップリンクＨＡＲＱプロセス数と言えず、実際のアップリンクＨＡＲＱプロセス数は、最大ＲＴＴに含まれるアップリンクサブフレーム数により決定されるべきである。以下の各々実施例も同様であり、繰り返して説明しない。
【００９３】
＜実施例２＞
システムにおける設定済みスロットが７個のＯＦＤＭシンボルを占有し、ここで、スロット３、スロット４、スロット５、スロット７、スロット９、スロット１３、スロット１４、スロット１５、スロット１７、スロット１９は、アップリンクスロットである。具体的なアップリンクＨＡＲＱタイミングは、図４に示すように、いずれのプロセスにも具体的なスロットのスケジューリング及びフィードバック・タイミングが含まれる。
【００９４】
＜スケジューリングタイミング＞ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}である。
【００９５】
＜フィードバック・タイミング＞ダウンリンクスロットｎ=０、１、１０または１１の場合、Ｋ={６}であり、ダウンリンクスロットｎ=２、８、１２または１８の場合、Ｋ={５}であり、ダウンリンクスロットｎ=６または１６の場合、Ｋ={７}である。
【００９６】
＜実施例３＞
システムにおける設定済みスロットが７個のＯＦＤＭシンボルを占有し、ここで、スロット３、スロット４、スロット５、スロット７、スロット９、スロット１３、スロット１４、スロット１５、スロット１７、スロット１９は、アップリンクスロットである。具体的なアップリンクＨＡＲＱタイミングは、図５に示すように、いずれのプロセスにも具体的なスロットのスケジューリング及びフィードバック・タイミングが含まれる。
【００９７】
＜スケジューリングタイミング＞ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}でありる。 
【００９８】
＜フィードバック・タイミング＞ダウンリンクスロットｎ=０または１０の場合、Ｋ={１１}であり、ダウンリンクスロットｎ=２または１２の場合、Ｋ={５,７}であり、ダウンリンクスロットｎ=１または１１の場合、Ｋ={７,８}である。
【００９９】
＜実施例４＞
システムにおける設定済みスロットが７個のＯＦＤＭシンボルを占有し、ここで、スロット４、スロット５、スロット６、スロット７、スロット８、スロット９、スロット１４、スロット１５、スロット１６、スロット１７、スロット１８、スロット１９は、アップリンクスロットである。具体的なアップリンクＨＡＲＱタイミングは、図６に示すように、いずれのプロセスにも具体的なスロットのスケジューリング及びフィードバック・タイミングが含まれる。
【０１００】
＜スケジューリングタイミング＞ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}である。 
【０１０１】
＜フィードバック・タイミング＞ダウンリンクスロットｎ=０または１０の場合、Ｋ={１１,６}であり、ダウンリンクスロットｎ=１または１１の場合、Ｋ={６,５}であり、ダウンリンクスロットｎ=２または１２の場合、Ｋ={５,４}である。
【０１０２】
＜実施例５＞
システムにおける設定済みスロットが７個のＯＦＤＭシンボルを占有し、ＴＤＤ及びＦＤＤキャリアアグリゲーション，ＴＤＤキャリアがプライマリ・キャリアとして、キャリア間のスケジューリングを行う場合、ＦＤＤキャリアのスケジューリングシグナリング及びフィードバック情報は、ＴＤＤキャリアにおいて伝送される必要がある。ＴＤＤキャリア上のスロット０、スロット１、スロット２、スロット１０、スロット１１、スロット１２において、フィードバック情報を伝送するか、スケジューリングシグナリングを再伝送することができる。ＦＤＤキャリアの具体的なアップリンクＨＡＲＱタイミングは、図７に示すように、いずれのプロセスにも具体的なスロットのスケジューリング及びフィードバック・タイミングが含まれる。
【０１０３】
＜スケジューリングタイミング＞ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}である。 
【０１０４】
＜フィードバック・タイミング＞ダウンリンクスロットｎ=０または１０の場合、Ｋ={１１,１０,９}であり、ダウンリンクスロットｎ=１または１１の場合、Ｋ={９,８,７}であり、ダウンリンクスロットｎ=２または１２の場合、Ｋ={７,６,５,４}である。
【０１０５】
＜実施例６＞
システムにおける設定済みスロットは３つのＯＦＤＭシンボルを占有し、ここで、スロット６~１１、スロット１４、スロット１５、スロット１８、スロット１９、スロット２６~３１、スロット３５、スロット３６、スロット３８、スロット３９は、アップリンクスロットである。具体的なアップリンクＨＡＲＱタイミングは、図８に示すように、いずれのプロセスにも具体的なスロットのスケジューリング及びフィードバック・タイミングが含まれる。
【０１０６】
＜スケジューリングタイミング＞ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}である。
【０１０７】
＜フィードバック・タイミング＞ダウンリンクスロットｎ=０、１、２０または２１の場合、Ｋ={１０}であり、ダウンリンクスロットｎ=２、３、１６、１７、２２、２３、３６または３７の場合、Ｋ={８}であり、ダウンリンクスロットｎ=４或５或１２或１３或２４或２５或３２或３３の場合，Ｋ={６}である。
【０１０８】
＜実施例７＞
システムにおける設定済みスロットが３つのＯＦＤＭシンボルを占有し、ここで、スロット６~１１、スロット１４、スロット１５、スロット１８、スロット１９、スロット２６~３１、スロット３５、スロット３６、スロット３８、スロット３９は、アップリンクスロットである。具体的なアップリンクＨＡＲＱタイミングは、図９に示すように、いずれのプロセスにも具体的なスロットのスケジューリング及びフィードバック・タイミングが含まれる。
【０１０９】
＜スケジューリングタイミング＞ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}である。
【０１１０】
＜フィードバック・タイミング＞ダウンリンクスロットｎ=０または２０の場合、Ｋ={１４,１３}であり、ダウンリンクスロットｎ=１または２１の場合、Ｋ={１３,１２}であり、ダウンリンクスロットｎ=２または２２の場合、Ｋ={１２,１１}であり、ダウンリンクスロットｎ=３または２３の場合、Ｋ={９,８}であり、ダウンリンクスロットｎ=４または２４の場合、Ｋ={６,５}である。
【０１１１】
＜実施例８＞
システムにおける設定済みスロットが３つのＯＦＤＭシンボルを占有し、ここで、スロット８~１９、スロット２８~３９は、アップリンクスロットである。具体的なアップリンクＨＡＲＱタイミングは、図１０に示すように、いずれのプロセスにも具体的なスロットのスケジューリング及びフィードバック・タイミングが含まれる。
【０１１２】
＜スケジューリングタイミング＞ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}である。
【０１１３】
＜フィードバック・タイミング＞ダウンリンクスロットｎ=０または２０の場合、Ｋ={１２,１１}であり、ダウンリンクスロットｎ=１または２１の場合、Ｋ={１１,１０}であり、ダウンリンクスロットｎ=２または２２の場合、Ｋ={１０,９}であり、ダウンリンクスロットｎ=３または２３の場合、Ｋ={９,８,７}であり、ダウンリンクスロットｎ=４または２４の場合、Ｋ={７,６,５}である。
【０１１４】
＜実施例９＞
システムにおける設定済みスロットが３つのＯＦＤＭシンボルを占有し、ＴＤＤ及びＦＤＤキャリアがアグリゲーションされる場合、ＴＤＤキャリアがプライマリ・キャリアとして、キャリア間のスケジューリングを行う際、ＦＤＤキャリアのスケジューリングシグナリング及びフィードバック情報は、ＴＤＤキャリアにて伝送される必要がある。ＴＤＤキャリア上のスロット０~４、スロット２０~２４で、フィードバック情報を伝送するか、スケジューリングシグナリングを再伝送することができる。ＦＤＤキャリア的具体的なアップリンクＨＡＲＱタイミングは、図１１に示すように、いずれのプロセスにも具体的なスロットのスケジューリング及びフィードバック・タイミングが含まれる。
【０１１５】
＜スケジューリングタイミング＞ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}である。
【０１１６】
＜フィードバック・タイミング＞ダウンリンクスロットｎ=０または２０の場合、Ｋ={１９,１８,１７,１６}であり、ダウンリンクスロットｎ=１または２１の場合、Ｋ={１６,１５,１４,１３}であり、ダウンリンクスロットｎ=２または２２の場合、Ｋ={１３,１２,１１,１０}であり、ダウンリンクスロットｎ=３または２３の場合、Ｋ={１０,９,８,７}であり、ダウンリンクスロットｎ=４または２４の場合、Ｋ={７,６,５,４}である。
【０１１７】
さらにご留意されたいのは、本発明に係る実施例において定義したアップリンクＨＡＲＱタイミングは、同期ＨＡＲＱや非同期ＨＡＲＱに適用されることができる。非同期ＨＡＲＱに適用する場合、本発明に係る実施例に定義したスケジューリングタイミングのみを利用し、同時に、アップリンク・スケジューリング・シグナリングにＨＡＲＱプロセス情報フィールドを追加してＨＡＲＱプロセス番号（ＨＡＲＱプロセス情報フィールドのビット数は、具体的なプロセス数と関連し、プロセス数は、ＲＴＴに含まれる最大アップリンクサブフレーム数である）を示す。同期ＨＡＲＱに適用する場合、本発明に係る実施例が定義したスケジューリングタイミング及びフィードバック・タイミングがともに含まれ、フィードバックの場合従来のＰＨＩＣＨリソースまたは新しく定義したEＰＨＩＣＨリソースを利用することができる。
【０１１８】
１つのダウンリンクスロットで複数のアップリンクスロットをスケジューリングする場合、対応のアップリンク・スケジューリング・シグナリングにアップリンク・インデックス（ＵＬ iｎＤex）情報フィールドを追加することにより、マルチスロットスケジューリングを示すことができる。マルチスロットスケジューリングを行うＵＬ iｎＤexビット数は、すべてのダウンリンクスロットに含まれる最大のスロット数により決定される。または、スロット構成に基づき、各ダウンリンクスロットに含まれるアップリンクスロット数によりぞれぞれに決定されることができる。１つのダウンリンクスロットで複数のアップリンクスロットをフィードバックする場合、異なるＰＨＩＣＨまたはEＰＨＩＣＨリソースを利用することにより、フィードバックしようとするアップリンクスロットを決定することができる。
【０１１９】
＜ＵＥ側の行為＞基地局側からアップリンク・スケジューリング・シグナリングを受信し、定義済みスケジューリングタイミングでアップリンクデータを伝送し、かつ、定義済みフィードバック・タイミングでスロットにおいて基地局のフィードバック情報またはスケジューリングシグナリング再伝送を検出する。
【０１２０】
また、ＵＥ側において、図１２に示すように、本発明に係る実施例が提供するアップリンクデータの伝送方法は、以下のステップを備える。
【０１２１】
Ｓ２０１において、ＵＥは、ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定する。
【０１２２】
Ｓ２０２において、ＵＥは、アップリンクデータの送信スロットでアップリンクデータを送信する。
【０１２３】
ここで、スロットは長さが１ミリ秒より短い時間単位であり、定義済みスケジューリングタイミングは、ネットワーク側がスロットｎでアップリンク・スケジューリング・シグナリングを送信する場合、ＵＥは、スロットｎ+lでアップリンクデータをネットワーク側に送信し、l∈Ｌ。ｎ及びlはともに零より大きいか等しい整数であり、Ｌはlの値集合を示す。
【０１２４】
オプションとして、スロットの長さは７つのＯＦＤＭシンボルである場合、
【０１２５】
一部の実施例において、ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}である。
【０１２６】
たの一部の実施例において、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}である。
【０１２７】
他の一部の実施例において、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}である。
【０１２８】
他の一部の実施例において、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}である。
【０１２９】
他の一部の実施例において、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}である。
【０１３０】
オプションとして、スロットの長さが３つのＯＦＤＭシンボルである場合、
【０１３１】
一部の実施例において、ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}である。
【０１３２】
他の一部の実施例において、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}である。
【０１３３】
他の一部の実施例において、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}である。
【０１３４】
他の一部の実施例において、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}である。
【０１３５】
オプションとして、ＵＥがアップリンクデータの送信スロットでアップリンクデータを送信した後、当該方法は、ＵＥは、定義済みアップリンクデータフィードバック・タイミングに基づき、ネットワーク側からアップリンクデータのフィードバック情報を受信するステップをさらに備える。定義済みフィードバック・タイミングは、ネットワーク側がスロットｍ-kでＵＥからアップリンクデータを受信する場合、k∈Ｋ。ネットワーク側がスロットｍでアップリンクデータのフィードバック情報をＵＥに送信し、k∈Ｋ。ｍ及びkはともに零より大きいか等しい整数であり、Ｋは、kの値集合を示す。
【０１３６】
オプションとして、１つのスロットの長さは７つのＯＦＤＭシンボルである場合、
【０１３７】
一部の実施例において、ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}である。
【０１３８】
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
【０１３９】
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}である。
【０１４０】
たの一部の実施例において、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}である。
【０１４１】
たの一部の実施例において、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}である。
【０１４２】
オプションとして、１つのスロットの長さが３つのＯＦＤＭシンボルである場合、
【０１４３】
一部の実施例において、ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}である。
【０１４４】
たの一部の実施例において、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}である。
【０１４５】
たの一部の実施例において、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}である。
【０１４６】
たの一部の実施例において、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}である。
【０１４７】
図１３を参照する。ネットワーク側、例えば基地局側において、本発明に係る実施例が提供するアップリンクデータの伝送装置は、データ伝送に用いるスロットサイズを決定し、前記スロットサイズに基づきアップリンク・スケジューリング・シグナリングをＵＥに送信する決定ユニット１１と、定義済みスケジューリングタイミングに基づきＵＥからアップリンクデータを受信する受信ユニット１２とを備える。
【０１４８】
ここで、スロットは長さが１ミリ秒より短い時間単位であり、定義済みスケジューリングタイミングは、決定ユニットがスロットｎでアップリンク・スケジューリング・シグナリングを送信する場合、受信ユニットがスロットｎ+lでＵＥからアップリンクデータを受信し、l∈Ｌ。ｎ及びlはともに零より大きいか等しい整数であり、Ｌはlの値集合を示す。
【０１４９】
オプションとして、スロットの長さは７つのＯＦＤＭシンボルである場合、
一部の実施例において、ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}である。
【０１５０】
たの一部の実施例において、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}である。
【０１５１】
一部の実施例において、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}である。
【０１５２】
たの一部の実施例において、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}である。
【０１５３】
たの一部の実施例において、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}である。
【０１５４】
オプションとして、スロットの長さが３つのＯＦＤＭシンボルである場合、
一部の実施例において、ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}である。
【０１５５】
たの一部の実施例において、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}である。
【０１５６】
たの一部の実施例において、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}である。
【０１５７】
たの一部の実施例において、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}である。
【０１５８】
オプションとして、決定ユニットは、受信ユニットが定義済みスケジューリングタイミングに基づきＵＥからアップリンクデータを受信した後、定義済みアップリンクデータフィードバック・タイミング似基づきアップリンクデータのフィードバック情報をＵＥに送信する。
【０１５９】
ここで、定義済みフィードバック・タイミングは、受信ユニットがスロットｍ-kでＵＥからアップリンクデータを受信する場合、k∈Ｋ、決定ユニットがスロットｍでアップリンクデータのフィードバック情報をＵＥに送信し、k∈Ｋ。ｍ及びkはともに零より大きいか等しい整数であり、Ｋは、kの値集合を示す。
【０１６０】
オプションとして、スロットの長さは７つのＯＦＤＭシンボルである場合、
一部の実施例において、ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}である。
【０１６１】
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}である。
【０１６２】
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}である。
【０１６３】
たの一部の実施例において、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}である。
【０１６４】
たの一部の実施例において、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}である。
【０１６５】
オプションとして、スロットの長さが３つのＯＦＤＭシンボルである場合、
一部の実施例において、ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}である。
【０１６６】
たの一部の実施例において、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}である。
【０１６７】
たの一部の実施例において、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}である。
【０１６８】
たの一部の実施例において、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}である。
【０１６９】
また、ＵＥ側において、図１４に示すように、本発明に係る実施例が提供するアップリンクデータの伝送装置は、ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定する受信ユニット２１と、アップリンクデータの送信スロットで、アップリンクデータを送信する送信ユニット２２とを備える。ここで、スロットは長さが１ミリ秒より短い時間単位であり、定義済みスケジューリングタイミングは、ネットワーク側がスロットｎでアップリンク・スケジューリング・シグナリングを送信する場合、ＵＥはスロットｎ+lでアップリンクデータをネットワーク側に送信し、l∈Ｌ。ｎ及びlはともに零より大きいか等しい整数であり、Ｌはlの値集合を示す。
【０１７０】
オプションとして、スロットの長さは７つのＯＦＤＭシンボルである場合、
一部の実施例において、ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}である。
【０１７１】
たの一部の実施例において、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}である。
【０１７２】
たの一部の実施例において、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}である。
【０１７３】
たの一部の実施例において、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}である。
【０１７４】
たの一部の実施例において、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}である。
【０１７５】
オプションとして、スロットの長さが３つのＯＦＤＭシンボルである場合、
一部の実施例において、ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}である。
【０１７６】
他の一部の実施例において、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}である。
【０１７７】
たの一部の実施例において、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}である。
【０１７８】
たの一部の実施例において、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}である。
【０１７９】
オプションとして、送信ユニットがアップリンクデータの送信スロットでアップリンクデータを送信した後、受信ユニットは、定義済みアップリンクデータフィードバック・タイミングに基づき、ネットワーク側からアップリンクデータのフィードバック情報を受信する。定義済みフィードバック・タイミングは、ネットワーク側がスロットｍ-kで送信ユニットからアップリンクデータを受信する場合、k∈Ｋ、ネットワーク側はスロットｍでアップリンクデータのフィードバック情報を当該アップリンクデータ伝送装置に送信し、k∈Ｋ。ｍ及びkはともに零より大きいか等しい整数であり、Ｋは、kの値集合を示す。
【０１８０】
オプションとして、スロットの長さは７つのＯＦＤＭシンボルである場合、
一部の実施例において、ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}である。
【０１８１】
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}である。
【０１８２】
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}である。
【０１８３】
たの一部の実施例において、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}である。
【０１８４】
たの一部の実施例において、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}である。
【０１８５】
オプションとして、スロットの長さが３つのＯＦＤＭシンボルである場合、
一部の実施例において、ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}である。
【０１８６】
たの一部の実施例において、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}である。
【０１８７】
たの一部の実施例において、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}である。
【０１８８】
たの一部の実施例において、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}である。
【０１８９】
図１５に示すように、ネットワーク側、例えば基地局側において、本発明に係る実施例が提供するアップリンクデータの伝送装置は、メモリ５２０に格納されたプログラムを読み出すプロセッサ５００を備える。
【０１９０】
前記プロセッサ５００は、データ伝送に用いるスロットサイズを決定し、前記スロットサイズに基づきアップリンク・スケジューリング・シグナリングをＵＥに送信し、定義済みスケジューリングタイミングに基づき、送受信機５１０により、ＵＥからアップリンクデータを受信する。
【０１９１】
ここで、スロットは長さが１ミリ秒より短い時間単位であり、定義済みスケジューリングタイミングは、当該アップリンクデータ伝送装置側がスロットｎでアップリンク・スケジューリング・シグナリングを送信する場合、当該アップリンクデータ伝送装置がスロットｎ+lでＵＥからアップリンクデータを受信し、l∈Ｌであり、ｎ及びlはともに零より大きいか等しい整数であり、Ｌはlの値集合を示す。
【０１９２】
オプションとして、スロットの長さは７つのＯＦＤＭシンボルである場合、
一部の実施例において、ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}である。
【０１９３】
たの一部の実施例において、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}である。
【０１９４】
一部の実施例において、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}である。
【０１９５】
一部の実施例において、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}である。
【０１９６】
一部の実施例において、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}である。
【０１９７】
オプションとして、スロットの長さが３つのＯＦＤＭシンボルである場合、
【０１９８】
一部の実施例において、ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}である。
【０１９９】
たの一部の実施例において、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}である。
【０２００】
一部の実施例において、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}である。
【０２０１】
一部の実施例において、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}である。
【０２０２】
オプションとして、プロセッサ５００は、定義済みスケジューリングタイミングに基づき、送受信機５１０によりＵＥからアップリンクデータを受信した後、定義済みアップリンクデータフィードバック・タイミングに基づき、送受信機５１０によりアップリンクデータのフィードバック情報をＵＥに送信する。
【０２０３】
ここで、定義済みフィードバック・タイミングは、当該アップリンク伝送装置は、スロットｍ-kでＵＥからアップリンクデータを受信する場合、k∈Ｋ、当該アップリンク伝送装置はスロットｍでアップリンクデータのフィードバック情報をＵＥに送信し、k∈Ｋ、ｍ及びkはともに零より大きいか等しい整数であり、Ｋは、kの値集合を示す。
【０２０４】
オプションとして、スロットの長さは７つのＯＦＤＭシンボルである場合、
一部の実施例において、ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}である。
【０２０５】
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
たの一部の実施例において、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}である。
【０２０６】
たの一部の実施例において、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}である。
【０２０７】
オプションとして、スロットの長さが３つのＯＦＤＭシンボルである場合、
一部の実施例において、ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}である。
【０２０８】
たの一部の実施例において、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}である。
【０２０９】
たの一部の実施例において、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}である。
【０２１０】
たの一部の実施例において、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}である。
【０２１１】
送受信機５１０は、プロセッサ５００の制御により、データを送受信する。
【０２１２】
図１５において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バスアーキテクチャ及び通常の処理を監視し、メモリ５２０は、プロセッサ５００が動作する際に利用するデータを記憶することができる。
【０２１３】
また、ＵＥ側において、図１６に示すように、本発明に係る実施例が提供するたのアップリンクデータの伝送装置は、メモリ６２０に格納されたプログラムを読み出すプロセッサ６００を備える。
【０２１４】
前記プロセッサ６００は、送受信機６１０により、ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定し、アップリンクデータの送信スロットで、送受信機６１０により、アップリンクデータを送信する。
【０２１５】
ここで、スロットは長さが１ミリ秒より短い時間単位であり、定義済みスケジューリングタイミングは、ネットワーク側がスロットｎでアップリンク・スケジューリング・シグナリングを送信する場合、当該アップリンク伝送装置はスロットｎ+lでアップリンクデータをネットワーク側に送信し、l∈Ｌ。ｎ及びlはともに零より大きいか等しい整数であり、Ｌはlの値集合を示す。
【０２１６】
オプションとして、スロットの長さは７つのＯＦＤＭシンボルである場合、
一部の実施例において、ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}である。
【０２１７】
たの一部の実施例において、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
たの一部の実施例において、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}である。
【０２１８】
たの一部の実施例において、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}である。
【０２１９】
たの一部の実施例において、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}である。
【０２２０】
オプションとして、スロットの長さが３つのＯＦＤＭシンボルである場合、
一部の実施例において、ダウンリンクスロットｎ=０、１、２、３、２０、２１、２２または２３の場合、Ｌ={８}であり、ダウンリンクスロットｎ=４、５、１６、１７、２４、２、３６または３７の場合、Ｌ={１０}であり、ダウンリンクスロットｎ=１２、１３、３２、３３の場合、Ｌ={６}である。
【０２２１】
たの一部の実施例において、ダウンリンクスロットｎ=０または２０の場合、Ｌ={６,７}であり、ダウンリンクスロットｎ=１または２１の場合、Ｌ={７,８}であり、ダウンリンクスロットｎ=２または２２の場合、Ｌ={８,９}であり、ダウンリンクスロットｎ=３または２３の場合、Ｌ={１１,１２}であり、ダウンリンクスロットｎ=４または２４の場合、Ｌ={１４,１５}である。
【０２２２】
たの一部の実施例において、ダウンリンクスロットｎ=０または２０の場合、Ｌ={８,９}であり、ダウンリンクスロットｎ=１または２１の場合、Ｌ={９,１０}であり、ダウンリンクスロットｎ=２または２２の場合、Ｌ={１０,１１}であり、ダウンリンクスロットｎ=３または２３の場合、Ｌ={１１,１２,１３}であり、ダウンリンクスロットｎ=４または２４の場合、Ｌ={１３,１４,１５}である。
【０２２３】
たの一部の実施例において、ダウンリンクスロットｎ=０または２０の場合、Ｌ={４,５,６,７}であり、ダウンリンクスロットｎ=１または２１の場合、Ｌ={７,８,９,１０}であり、ダウンリンクスロットｎ=２または２２の場合、Ｌ={１０,１１,１２,１３}であり、ダウンリンクスロットｎ=３または２３の場合、Ｌ={１３,１４,１５,１６}であり、ダウンリンクスロットｎ=４または２４の場合、Ｌ={１６,１７,１８,１９}である。
【０２２４】
オプションとして、プロセッサ６００は、送受信機６１０によりアップリンクデータの送信スロットでアップリンクデータを送信した後、定義済みアップリンクデータフィードバック・タイミングに基づき、送受信機６１０により、ネットワーク側からアップリンクデータのフィードバック情報を受信する。定義済みフィードバック・タイミングは、ネットワーク側がスロットｍ-kで当該アップリンク伝送装置からアップリンクデータを受信する場合、k∈Ｋ、ネットワーク側がスロットｍでアップリンクデータのフィードバック情報を当該アップリンク伝送装置に送信し、k∈Ｋ。ｍ及びkはともに零より大きいか等しい整数であり、Ｋは、kの値集合を示す。
【０２２５】
オプションとして、スロットの長さは７つのＯＦＤＭシンボルである場合、
一部の実施例において、ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}である。
【０２２６】
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
たの一部の実施例において、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}である。
【０２２７】
たの一部の実施例において、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}である。
【０２２８】
オプションとして、スロットの長さが３つのＯＦＤＭシンボルである場合、
一部の実施例において、ダウンリンクスロットｍ=０、１、２０または２１の場合、Ｋ={１０}であり、ダウンリンクスロットｍ=２、３、１６、１７、２２、２３、３６または３７の場合、Ｋ={８}であり、ダウンリンクスロットｍ=４、５、１２、１３、２４、２５、３２、３３の場合、Ｋ={６}である。
【０２２９】
たの一部の実施例において、ダウンリンクスロットｍ=０または２０の場合、Ｋ={１４,１３}であり、ダウンリンクスロットｍ=１または２１の場合、Ｋ={１３,１２}であり、ダウンリンクスロットｍ=２または２２の場合、Ｋ={１２,１１}であり、ダウンリンクスロットｍ=３または２３の場合、Ｋ={９,８}であり、ダウンリンクスロットｍ=４または２４の場合、Ｋ={６,５}である。
【０２３０】
たの一部の実施例において、ダウンリンクスロットｍ=０または２０の場合、Ｋ={１２,１１}であり、ダウンリンクスロットｍ=１または２１の場合、Ｋ={１１,１０}であり、ダウンリンクスロットｍ=２または２２の場合、Ｋ={１０,９}であり、ダウンリンクスロットｍ=３または２３の場合、Ｋ={９,８,７}であり、ダウンリンクスロットｍ=４または２４の場合、Ｋ={７,６,５}である。
【０２３１】
たの一部の実施例において、ダウンリンクスロットｍ=０または２０の場合、Ｋ={１９,１８,１７,１６}であり、ダウンリンクスロットｍ=１または２１の場合、Ｋ={１６,１５,１４,１３}であり、ダウンリンクスロットｍ=２または２２の場合、Ｋ={１３,１２,１１,１０}であり、ダウンリンクスロットｍ=３または２３の場合、Ｋ={１０,９,８,７}であり、ダウンリンクスロットｍ=４または２４の場合、Ｋ={７,６,５,４}である。
【０２３２】
送受信機６１０は、プロセッサ６００の制御によりデータを送受信する。
【０２３３】
図１６において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０２３４】
プロセッサ６００は、バスアーキテクチャ及び通常の処理を監視し、メモリ６２０は、プロセッサ６００が動作する際に利用するデータを記憶することができる。
【０２３５】
要約すると、本発明に係る実施例のアップリンクデータの伝送方法及び装置によれば、短スロット伝送場合のＵＥがスケジューリングシグナリングを受信した後、アップリンク伝送のデータをより速く準備することができ、同時に基地局も受信したデータパケットをより速く復調してフィードバックするか、または、スケジューリング再伝送を行う。本発明に係る実施例の技術案は、アップリンクＲＴＴ時間を短縮し、ユーザ・プレーン遅延を低減し、システムの全体性能を向上することができる。
【０２３６】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０２３７】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０２３８】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２３９】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０２４０】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。  
【０２４１】
本出願は、２０１５年７月２８日に中国特許局に提出し、出願番号が２０１５１０４５１４８５.０であり、発明名称が「アップリンクデータの伝送方法及び装置」との中国特許出願を基礎とする優先権を主張し、その開示の総てをここに取り込む。
【符号の説明】
【０２４２】
１１  決定ユニット
１２  受信ユニット
２１  受信ユニット
２２  送信ユニット
５００  プロセッサ
５１０  送受信機
５２０  メモリ
６００  プロセッサ
６１０  送受信機
６２０  メモリ
６３０  ユーザーインターフェース
【図１】
2018525914.tif 000016
【図２】
2018525914.tif 000017
【図３】
2018525914.tif 000018
【図４】
2018525914.tif 000019
【図５】
2018525914.tif 000020
【図６】
2018525914.tif 000021
【図７】
2018525914.tif 000022
【図８】
2018525914.tif 000023
【図９】
2018525914.tif 000024
【図１０】
2018525914.tif 000025
【図１１】
2018525914.tif 000026
【図１２】
2018525914.tif 000027
【図１３】
2018525914.tif 000028
【図１４】
2018525914.tif 000029
【図１５】
2018525914.tif 000030
【図１６】
2018525914.tif 000031
【手続補正書】
【提出日】平成30年1月29日(2018.1.29)
【手続補正１】
【補正対象書類名】明細書
【補正対象項目名】００４２
【補正方法】変更
【補正の内容】
【００４２】
オプションとして、前記ネットワーク側が定義済みスケジューリングタイミングに基づき前記ＵＥからアップリンクデータを受信した後、当該方法は、
前記ネットワーク側は、定義済みアップリンクデータフィードバック・タイミングに基づき、前記アップリンクデータのフィードバック情報を前記ＵＥに送信するステップをさらに備え、
前記定義済みフィードバック・タイミングは、前記ネットワーク側がスロットｍ-ｋにおいて前記ＵＥからアップリンクデータを受信する場合、前記ネットワーク側がスロットｍにおいて前記アップリンクデータのフィードバック情報を前記ＵＥに送信する場合、k∈Ｋ、ｍ及びｋはともに零より大きいか等しい整数であり、Ｋは前記kの値集合を示す。
【手続補正２】
【補正対象書類名】明細書
【補正対象項目名】００４８
【補正方法】変更
【補正の内容】
【００４８】
オプションとして、前記ＵＥが前記アップリンクデータの送信スロットでアップリンクデータを送信した後、当該方法は、
前記ＵＥは、定義済みアップリンクデータフィードバック・タイミングに基づき、前記ネットワーク側が送信した前記アップリンクデータのフィードバック情報を受信するステップをさらに備え、前記定義済みフィードバック・タイミングは、前記ネットワーク側がスロットｍ-ｋにおいて前記ＵＥからアップリンクデータを受信する場合、前記ネットワーク側がスロットｍにおいて前記アップリンクデータのフィードバック情報を前記ＵＥに送信する場合、k∈Ｋ、ｍ及びkはともに零より大きいか等しい整数であり、Ｋは前記kの値集合を示す。
【手続補正３】
【補正対象書類名】明細書
【補正対象項目名】００５４
【補正方法】変更
【補正の内容】
【００５４】
オプションとして、前記決定ユニットは、前記受信ユニットが定義済みスケジューリングタイミングに基づき、前記ＵＥからアップリンクデータを受信した後、定義済みアップリンクデータフィードバック・タイミングに基づき、前記アップリンクデータのフィードバック情報を前記ＵＥに送信し、
前記定義済みフィードバック・タイミングは、前記受信ユニットがスロットｍ-ｋで前記ＵＥからアップリンクデータを受信する場合、前記決定ユニットがスロットｍで前記アップリンクデータのフィードバック情報を前記ＵＥに送信する場合、k∈Ｋ、ｍ及びkはともに零より大きいか等しい整数であり、Ｋは前記kの値集合を示す。
【手続補正４】
【補正対象書類名】明細書
【補正対象項目名】００６０
【補正方法】変更
【補正の内容】
【００６０】
オプションとして、前記送信ユニットが前記アップリンクデータの送信スロットでアップリンクデータを送信した後、前記受信ユニットは、
定義済みアップリンクデータフィードバック・タイミングに基づき、前記ネットワーク側が送信した前記アップリンクデータのフィードバック情報を受信し、前記定義済みフィードバック・タイミングは、前記ネットワーク側がスロットｍ-ｋで前記送信ユニットからアップリンクデータを受信する場合、前記ネットワーク側がスロットｍで前記アップリンクデータのフィードバック情報を前記アップリンクデータ伝送装置に送信し、k∈Ｋ、ｍ及びｋはともに零より大きいか等しい整数であり、Ｋは前記kの値集合を示す。
【手続補正５】
【補正対象書類名】明細書
【補正対象項目名】００６３
【補正方法】変更
【補正の内容】
【００６３】
本発明に係る実施例のアップリンクデータの伝送装置は、プロセッサと、送受信機と、メモリとを備え、
前記プロセッサは、メモリに格納されたプログラムを読み出して、データ伝送に用いるスロットサイズを決定し、前記スロットサイズに基づき、送受信機を介して、アップリンク・スケジューリング・シグナリングをＵＥに送信し、
定義済みスケジューリングタイミングに基づき、送受信機を介して前記ＵＥからアップリンクデータを受信し、
前記スロットは長さが１ミリ秒より短い時間単位であり、前記定義済みスケジューリングタイミングは、前記アップリンクデータの伝送装置がスロットｎで前記アップリンク・スケジューリング・シグナリングを送信する場合、前記アップリンクデータの伝送装置がスロットｎ+lで前記ＵＥからアップリンクデータを受信し、ｌ∈Ｌ、ｎはともに零より大きいか等しい整数であり、lは１より大きいか等しい整数でありＬはlの値集合を示す。
【手続補正６】
【補正対象書類名】明細書
【補正対象項目名】００６４
【補正方法】変更
【補正の内容】
【００６４】
本発明に係る実施例のアップリンクデータの伝送装置は、プロセッサと、送受信機と、メモリとを備え、
前記プロセッサは、メモリに格納されたプログラムを読み出して、送受信機を介して、ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定し、
前記アップリンクデータの送信スロットで、送受信機を介してアップリンクデータを送信し、
前記スロットは長さが１ミリ秒より短い時間単位であり、前記定義済みスケジューリングタイミングは、前記ネットワーク側にスロットｎで前記アップリンク・スケジューリング・シグナリングを送信する場合、前記アップリンクデータの伝送装置がスロットｎ+lでアップリンクデータを前記ネットワーク側に送信し、ｌ∈Ｌ、ｎはともに零より大きいか等しい整数であり、lは１より大きいか等しい整数でありＬはlの値集合を示す。
【手続補正７】
【補正対象書類名】明細書
【補正対象項目名】００７０
【補正方法】変更
【補正の内容】
【００７０】
ここで、前記データ伝送に用いられるスロット長さは、１ミリ秒より短い時間単位であり、定義済みスケジューリングタイミングは、ネットワーク側がスロットｎでアップリンク・スケジューリング・シグナリングを送信する場合、ネットワーク側は、スロットｎ+lでＵＥからアップリンクデータを受信し、l∈Ｌ。ｎはともに零より大きいか等しい整数であり、lは１より大きいか等しい整数でありＬはlの値集合を示す。
【手続補正８】
【補正対象書類名】明細書
【補正対象項目名】００９１
【補正方法】変更
【補正の内容】
【００９１】
または、本発明に係る実施例を示す図において、各々プロセスにおける第１アップリンクスロット（図におけるサブフレーム構成の行の下の各ラインにおける１番目のＵが表示されているボックス）は、始伝送のスロットを示し、直後の灰色ボックスに対応するスロットはアップリンクデータのフィードバック情報に用いられるスロットまたはスケジューリングシグナリングの再伝送に用いられるスロットを示し、最後のスロット（図におけるサブフレーム構成の行の下の各ラインにおける最後のＵが表示されている ボックス）は、再伝送するアップリンクデータに用いられるスロットを示す。本発明に係る実施例が提供する各々図において、上ハーフ無線フレームに対応するＨＡＲＱタイミングのみが示されたが、１つの無線フレームには、上ハーフフレーム及び下ハーフフレームにおける上ダウンリンクスロットの構成が同様であるため、１つのスロット長さは７つのＯＦＤＭシンボルである場合、上ハーフフレームのスロットｎ及び下ハーフフレームに対応するスロットｎ+１０のＨＡＲＱタイミングは同様である。１つのスロット長さが３つのＯＦＤＭシンボルである場合、上ハーフフレームのスロットｎ及び下ハーフフレームに対応するスロットｎ+２０のＨＡＲＱタイミングは同様である。上ハーフ無線フレームにおけるアップリンクＨＡＲＱタイミングに基づき、下ハーフ無線フレームにおけるアップリンクＨＡＲＱタイミングを得ることができる。例えば、図３のスロット３及びスロット１３のＨＡＲＱタイミングは同様であり、スロット４及びスロット１４のＨＡＲＱタイミングは同様であり、スロット５及びスロット１５のＨＡＲＱタイミングは同様であり、スロット７及びスロット１７のＨＡＲＱタイミングは同様であり、スロット９及びスロット１９のＨＡＲＱタイミングは同様である。本発明に係る実施例について、後述実施例に対する理解はここと同様であり、図には上ハーフ無線フレームのＨＡＲＱタイミングのみが示されているが、繰り返して説明しない。
【手続補正９】
【補正対象書類名】明細書
【補正対象項目名】０１２３
【補正方法】変更
【補正の内容】
【０１２３】
ここで、スロットは長さが１ミリ秒より短い時間単位であり、定義済みスケジューリングタイミングは、ネットワーク側がスロットｎでアップリンク・スケジューリング・シグナリングを送信する場合、ＵＥは、スロットｎ+lでアップリンクデータをネットワーク側に送信し、l∈Ｌ。ｎはともに零より大きいか等しい整数であり、lは１より大きいか等しい整数でありＬはlの値集合を示す。
【手続補正１０】
【補正対象書類名】明細書
【補正対象項目名】０１４８
【補正方法】変更
【補正の内容】
【０１４８】
ここで、スロットは長さが１ミリ秒より短い時間単位であり、定義済みスケジューリングタイミングは、決定ユニットがスロットｎでアップリンク・スケジューリング・シグナリングを送信する場合、受信ユニットがスロットｎ+lでＵＥからアップリンクデータを受信し、l∈Ｌ。ｎはともに零より大きいか等しい整数であり、lは１より大きいか等しい整数でありＬはlの値集合を示す。
【手続補正１１】
【補正対象書類名】明細書
【補正対象項目名】０１５９
【補正方法】変更
【補正の内容】
【０１５９】
ここで、定義済みフィードバック・タイミングは、受信ユニットがスロットｍ-ｋでＵＥからアップリンクデータを受信する場合、決定ユニットがスロットｍでアップリンクデータのフィードバック情報をＵＥに送信し、k∈Ｋ。ｍ及びkはともに零より大きいか等しい整数であり、Ｋは、kの値集合を示す。
【手続補正１２】
【補正対象書類名】明細書
【補正対象項目名】０１６９
【補正方法】変更
【補正の内容】
【０１６９】
また、ＵＥ側において、図１４に示すように、本発明に係る実施例が提供するアップリンクデータの伝送装置は、ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定する受信ユニット２１と、アップリンクデータの送信スロットで、アップリンクデータを送信する送信ユニット２２とを備える。ここで、スロットは長さが１ミリ秒より短い時間単位であり、定義済みスケジューリングタイミングは、ネットワーク側がスロットｎでアップリンク・スケジューリング・シグナリングを送信する場合、ＵＥはスロットｎ+lでアップリンクデータをネットワーク側に送信し、l∈Ｌ。ｎはともに零より大きいか等しい整数であり、lは１より大きいか等しい整数でありＬはlの値集合を示す。
【手続補正１３】
【補正対象書類名】明細書
【補正対象項目名】０１７９
【補正方法】変更
【補正の内容】
【０１７９】
オプションとして、送信ユニットがアップリンクデータの送信スロットでアップリンクデータを送信した後、受信ユニットは、定義済みアップリンクデータフィードバック・タイミングに基づき、ネットワーク側からアップリンクデータのフィードバック情報を受信する。定義済みフィードバック・タイミングは、ネットワーク側がスロットｍ-ｋで送信ユニットからアップリンクデータを受信する場合、ネットワーク側はスロットｍでアップリンクデータのフィードバック情報を当該アップリンクデータ伝送装置に送信し、k∈Ｋ。ｍ及びkはともに零より大きいか等しい整数であり、Ｋは、kの値集合を示す。
【手続補正１４】
【補正対象書類名】明細書
【補正対象項目名】０１９１
【補正方法】変更
【補正の内容】
【０１９１】
ここで、スロットは長さが１ミリ秒より短い時間単位であり、定義済みスケジューリングタイミングは、当該アップリンクデータ伝送装置側がスロットｎでアップリンク・スケジューリング・シグナリングを送信する場合、当該アップリンクデータ伝送装置がスロットｎ+lでＵＥからアップリンクデータを受信し、l∈Ｌであり、ｎlはともに零より大きいか等しい整数であり、lは１より大きいか等しい整数でありＬはlの値集合を示す。
【手続補正１５】
【補正対象書類名】明細書
【補正対象項目名】０２１５
【補正方法】変更
【補正の内容】
【０２１５】
ここで、スロットは長さが１ミリ秒より短い時間単位であり、定義済みスケジューリングタイミングは、ネットワーク側がスロットｎでアップリンク・スケジューリング・シグナリングを送信する場合、当該アップリンク伝送装置はスロットｎ+lでアップリンクデータをネットワーク側に送信し、l∈Ｌ。ｎはともに零より大きいか等しい整数であり、lは１より大きいか等しい整数でありＬはlの値集合を示す。
【手続補正１６】
【補正対象書類名】明細書
【補正対象項目名】０２２４
【補正方法】変更
【補正の内容】
【０２２４】
オプションとして、プロセッサ６００は、送受信機６１０によりアップリンクデータの送信スロットでアップリンクデータを送信した後、定義済みアップリンクデータフィードバック・タイミングに基づき、送受信機６１０により、ネットワーク側からアップリンクデータのフィードバック情報を受信する。定義済みフィードバック・タイミングは、ネットワーク側がスロットｍ-kで当該アップリンク伝送装置からアップリンクデータを受信する場合、ネットワーク側がスロットｍでアップリンクデータのフィードバック情報を当該アップリンク伝送装置に送信し、k∈Ｋ。ｍ及びkはともに零より大きいか等しい整数であり、Ｋは、kの値集合を示す。
【手続補正１７】
【補正対象書類名】特許請求の範囲
【補正対象項目名】全文
【補正方法】変更
【補正の内容】
【特許請求の範囲】
【請求項１】
ネットワーク側は、データ伝送に用いられるスロットサイズを決定し、前記スロットサイズに基づきアップリンク・スケジューリング・シグナリングをＵＥに送信するステップと、
前記ネットワーク側は、定義済みスケジューリングタイミングに基づき前記ＵＥからアップリンクデータを受信するステップとを備え、
前記スロットは長さが１ミリ秒より短い時間単位であり、前記定義済みスケジューリングタイミングは、前記ネットワーク側がスロットｎで前記アップリンク・スケジューリング・シグナリングを送信する場合、前記ネットワーク側は、スロットｎ+ｌで前記ＵＥからアップリンクデータを受信し、ｌ∈Ｌ、ｎは零より大きいか等しい整数であり、Lは１より大きいか等しい整数であり、Ｌはｌの値集合を示すことを特徴とするアップリンクデータの伝送方法。
【請求項２】
前記スロットの長さは、７つの直交周波数分割多重方式（ＯＦＤＭ）シンボルであり、１つの無線フレームには２０個のスロットが含まれ、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}であることを特徴とする請求項１に記載のアップリンクデータの伝送方法。
【請求項３】
前記ネットワーク側が定義済みスケジューリングタイミングに基づき前記ＵＥからアップリンクデータを受信した後、前記方法は、
前記ネットワーク側は、定義済みアップリンクデータフィードバック・タイミングに基づき、前記アップリンクデータのフィードバック情報を前記ＵＥに送信するステップをさらに備え、
前記定義済みフィードバック・タイミングは、前記ネットワーク側がスロットｍ-ｋにおいて前記ＵＥからアップリンクデータを受信する場合、前記ネットワーク側がスロットｍにおいて前記アップリンクデータのフィードバック情報を前記ＵＥに送信する場合、ｋ∈Ｋであり、ｍ及びｋはともに零より大きいか等しい整数であり、Ｋは前記ｋの値集合を示すことを特徴とする請求項１に記載のアップリンクデータの伝送方法。
【請求項４】
前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}であることを特徴とする請求項３に記載のアップリンクデータの伝送方法。
【請求項５】
ＵＥは、ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定するステップと
前記ＵＥは、前記アップリンクデータの送信スロットにおいて、アップリンクデータを送信するステップとを備え、
前記スロットは長さが１ミリ秒より短い時間単位であり、前記定義済みスケジューリングタイミングは、前記ネットワーク側にスロットｎで前記アップリンク・スケジューリング・シグナリングを送信する場合、前記ＵＥがスロットｎ+ｌでアップリンクデータを前記ネットワーク側に送信し、ｌ∈Ｌ、ｎは零より大きいか等しい整数であり、Lは１より大きいか等しい整数であり、Ｌはｌの値集合を示すことを特徴とするアップリンクデータの伝送方法。
【請求項６】
前記スロットの長さは、７つの直交周波数分割多重方式（ＯＦＤＭ）シンボルであり、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}であることを特徴とする請求項５に記載のアップリンクデータの伝送方法。
【請求項７】
前記ＵＥが前記アップリンクデータの送信スロットでアップリンクデータを送信した後、前記方法は、
前記ＵＥは、定義済みアップリンクデータフィードバック・タイミングに基づき、前記ネットワーク側が送信した前記アップリンクデータのフィードバック情報を受信するステップをさらに備え、
前記定義済みフィードバック・タイミングは、前記ネットワーク側がスロットｍ-ｋにおいて前記ＵＥからアップリンクデータを受信する場合、ｋ∈Ｋであり、前記ネットワーク側がスロットｍにおいて前記アップリンクデータのフィードバック情報を前記ＵＥに送信する場合、ｋ∈Ｋであり、ｍ及びｋはともに零より大きいか等しい整数であり、Ｋは前記ｋの値集合を示すことを特徴とする請求項５に記載のアップリンクデータの伝送方法。
【請求項８】
前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}であることを特徴とする請求項７に記載のアップリンクデータの伝送方法。
【請求項９】
データ伝送に用いるスロットサイズを決定し、前記スロットサイズに基づきアップリンク・スケジューリング・シグナリングをＵＥに送信する決定ユニットと、
定義済みスケジューリングタイミングに基づき、前記ＵＥからアップリンクデータを受信する受信ユニットとを備え、
前記スロットは長さが１ミリ秒より短い時間単位であり、前記定義済みスケジューリングタイミングは、前記決定ユニットがスロットｎで前記アップリンク・スケジューリング・シグナリングを送信する場合、前記受信ユニットがスロットｎ+ｌで前記ＵＥからアップリンクデータを受信し、ｌ∈Ｌ、ｎは零より大きいか等しい整数であり、Lは１より大きいか等しい整数であり、Ｌはｌの値集合を示すことを特徴とするアップリンクデータの伝送装置。
【請求項１０】
前記スロットの長さは、７つの直交周波数分割多重方式（ＯＦＤＭ）シンボルであり、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}であることを特徴とする請求項９に記載のアップリンクデータの伝送装置。
【請求項１１】
前記決定ユニットは、前記受信ユニットが定義済みスケジューリングタイミングに基づき、前記ＵＥからアップリンクデータを受信した後、定義済みアップリンクデータフィードバック・タイミングに基づき、前記アップリンクデータのフィードバック情報を前記ＵＥに送信し、
前記定義済みフィードバック・タイミングは、前記受信ユニットがスロットｍ-ｋで前記ＵＥからアップリンクデータを受信する場合、ｋ∈Ｋ、前記決定ユニットがスロットｍで前記アップリンクデータのフィードバック情報を前記ＵＥに送信する場合、ｋ∈Ｋ、ｍ及びｋはともに零より大きいか等しい整数であり、Ｋは前記ｋの値集合を示すことを特徴とする請求項９に記載のアップリンクデータの伝送装置。
【請求項１２】
前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}であることを特徴とする請求項１１に記載のアップリンクデータの伝送装置。
【請求項１３】
ネットワーク側が定義済みスケジューリングタイミングに基づき送信したアップリンク・スケジューリング・シグナリングを受信し、前記アップリンク・スケジューリング・シグナリングに基づき、アップリンクデータの送信に用いるアップリンクデータの送信スロットを決定する受信ユニットと、
前記アップリンクデータの送信スロットでアップリンクデータを送信する送信ユニットとを備え、
前記スロットは長さが１ミリ秒より短い時間単位であり、前記定義済みスケジューリングタイミングは、前記ネットワーク側にスロットｎで前記アップリンク・スケジューリング・シグナリングを送信する場合、前記送信ユニットがスロットｎ+ｌでアップリンクデータを前記ネットワーク側に送信し、ｌ∈Ｌであり、ｎは零より大きいか等しい整数であり、Lは１より大きいか等しい整数であり、Ｌはｌの値集合を示すことを特徴とするアップリンクデータの伝送装置。
【請求項１４】
前記スロットの長さは、７つの直交周波数分割多重方式（ＯＦＤＭ）シンボルであり、
ダウンリンクスロットｎ=０、１、１０または１１の場合、Ｌ={４}であり、ダウンリンクスロットｎ=２または１２の場合、Ｌ={５,７}であり、ダウンリンクスロットｎ=８または１８の場合、Ｌ={５}であり、
または、ダウンリンクスロットｎ=０または１０の場合、Ｌ={５}であり、ダウンリンクスロットｎ=１、８、１１または１８の場合、Ｌ={６}であり、ダウンリンクスロットｎ=２、６、１２または１６の場合、Ｌ={７}であり、 
または、ダウンリンクスロットｎ=０または１０の場合、Ｌ={４}であり、ダウンリンクスロットｎ=１または１１の場合、Ｌ={４,６}であり、ダウンリンクスロットｎ=２または１２の場合、Ｌ={７,１１}であり、
または、ダウンリンクスロットｎ=０または１０の場合、Ｌ={４,５}であり、ダウンリンクスロットｎ=１または１１の場合、Ｌ={５,６}であり、ダウンリンクスロットｎ=２または１２の場合、Ｌ={６,７}であり、
または、ダウンリンクスロットｎ=０または１０の場合、Ｌ={４,５,６}であり、ダウンリンクスロットｎ=１または１１の場合、Ｌ={６,７,８}であり、ダウンリンクスロットｎ=２または１２の場合、Ｌ={８,９,１０,１１}であることを特徴とする請求項１３に記載のアップリンクデータの伝送装置。
【請求項１５】
前記送信ユニットが前記アップリンクデータの送信スロットでアップリンクデータを送信した後、前記受信ユニットは、
定義済みアップリンクデータフィードバック・タイミングに基づき、前記ネットワーク側が送信した前記アップリンクデータのフィードバック情報を受信し、
前記定義済みフィードバック・タイミングは、前記ネットワーク側がスロットｍ-ｋで前記送信ユニットからアップリンクデータを受信する場合、前記ネットワーク側がスロットｍで前記アップリンクデータのフィードバック情報を前記アップリンクデータ伝送装置に送信し、ｋ∈Ｋであり、ｍ及びｋはともに零より大きいか等しい整数であり、Ｋは前記kの値集合を示し、
前記スロットの長さは７つのＯＦＤＭシンボルであり、
ダウンリンクスロットｍ=０、１、１０または１１の場合、Ｋ={７}であり、ダウンリンクスロットｍ=２または１２の場合、Ｋ={５,７}であり、ダウンリンクスロットｍ=８または１８の場合、Ｋ={９}であり、
または、ダウンリンクスロットｍ=０、１、１０または１１の場合、Ｋ={６}であり、ダウンリンクスロットｍ=２、８、１２または１８の場合、Ｋ={５}であり、ダウンリンクスロットｍ=６または１６の場合、Ｋ={７}であり、
または、ダウンリンクスロットｍ=０または１０の場合、Ｋ={１１}であり、ダウンリンクスロットｍ=１または１１の場合、Ｋ={８,７}であり、ダウンリンクスロットｍ=２または１２の場合、Ｋ={７,５}であり、
または、ダウンリンクスロットｍ=０または１０の場合、Ｋ={１１,６}であり、ダウンリンクスロットｍ=１または１１の場合、Ｋ={６,５}であり、ダウンリンクスロットｍ=２または１２の場合、Ｋ={５,４}であり、
または、ダウンリンクスロットｍ=０または１０の場合、Ｋ={１１,１０,９}であり、ダウンリンクスロットｍ=１または１１の場合、Ｋ={９,８,７}であり、ダウンリンクスロットｍ=２または１２の場合、Ｋ={７,６,５,４}であることを特徴とする請求項１３に記載のアップリンクデータの伝送装置。
【国際調査報告】
2018525914.tif 000032
2018525914.tif 000033
2018525914.tif 000034
2018525914.tif 000035